(57)【要約】  送信アンテナ２の送信電力状態を検出する送信電力状態検出回路１１と、送信電力状態検出回路１１による検出結果に基づいて、送信アンテナ２から発生される電磁界における異物の有無を検出する異物検出回路１２４と、異物検出回路１２４により異物が検出された場合に、送信アンテナ２への電力の供給を低減又は停止する電力制御回路１２５とを備えた。
2015097807.tif 000002
【特許請求の範囲】
【請求項１】
送信アンテナの送信電力状態を検出する送信電力状態検出回路と、
前記送信電力状態検出回路による検出結果に基づいて、前記送信アンテナから発生される電磁界における異物の有無を検出する異物検出回路と、
前記異物検出回路により異物が検出された場合に、前記送信アンテナへの電力の供給を低減又は停止する電力制御回路とを備えた
ことを特徴とする共振型送信電源装置。
【請求項２】
前記送信電力状態検出回路は、送信電力状態として、前記送信アンテナからの反射電力、当該送信アンテナに入力される電圧と電流との位相差、当該電圧及び当該電流の各振幅のうち少なくとも１つ以上を検出する
ことを特徴とする請求項１記載の共振型送信電源装置。
【請求項３】
前記送信アンテナは、受信アンテナとの間で磁界共鳴による無線電力伝送を行い、
前記送信電力状態検出回路による検出結果に基づいて、前記送信アンテナと前記受信アンテナとの間の共振条件を合わせる共振インピーダンス調整回路を備えた
ことを特徴とする請求項１記載の共振型送信電源装置。
【請求項４】
前記送信アンテナは、受信アンテナとの間で電界共鳴による無線電力伝送を行い、
前記送信電力状態検出回路による検出結果に基づいて、前記送信アンテナと前記受信アンテナとの間の共振条件を合わせる共振インピーダンス調整回路を備えた
ことを特徴とする請求項１記載の共振型送信電源装置。
【請求項５】
前記送信アンテナは、受信アンテナとの間で電磁誘導による無線電力伝送を行い、
前記送信電力状態検出回路による検出結果に基づいて、前記送信アンテナと前記受信アンテナとの間の共振条件を合わせる共振インピーダンス調整回路を備えた
ことを特徴とする請求項１記載の共振型送信電源装置。
【請求項６】
対応する送信アンテナへの電力の供給を制御する共振型送信電源装置を複数系統備え、当該各送信アンテナが１つの固定周波数により動作する共振型送信電源システムであって、
前記共振型送信電源装置は、
前記対応する送信アンテナの送信電力状態を検出する送信電力状態検出回路と、
前記送信電力状態検出回路による検出結果に基づいて、前記対応する送信アンテナから発生される電磁界における異物の有無を検出する異物検出回路と、
前記異物検出回路により異物が検出された場合に、前記各系統の前記送信電力状態検出回路による検出結果に基づいて、当該異物の位置を検出する位置検出回路と、
前記位置検出回路により検出された異物の位置に基づいて、前記対応する送信アンテナへの電力の供給を低減又は停止する電力制御回路とを備えた
ことを特徴とする共振型送信電源システム。
【請求項７】
対応する送信アンテナへの電力の供給を制御する共振型送信電源装置を複数系統備え、当該各送信アンテナが各々異なる固定周波数により動作する共振型送信電源システムであって、
前記共振型送信電源装置は、
前記対応する送信アンテナの送信電力状態を検出する送信電力状態検出回路と、
前記送信電力状態検出回路による検出結果に基づいて、前記対応する送信アンテナから発生される電磁界における異物の有無を検出する異物検出回路と、
前記異物検出回路により異物が検出された場合に、前記各系統の前記送信アンテナの固定周波数、及び前記各系統の前記送信電力状態検出回路による検出結果に基づいて異物の種別を判別し、前記対応する送信アンテナへの電力の供給を低減又は停止する電力制御回路とを備えた
ことを特徴とする共振型送信電源システム。
【発明の詳細な説明】
【技術分野】
【０００１】
この発明は、送信アンテナから発生される電磁界における異物の有無を検出し、異物を検出した場合に電力伝送の低減又は停止を行う共振型送信電源装置及び共振型送信電源システムに関するものである。
【背景技術】
【０００２】
図６に示すように、従来の電源装置において、異物の有無を検出する機能を有するものが知られている（例えば特許文献１参照）。この特許文献１に開示された電源装置では、送信アンテナ１０１に対し、巻き軸が直交するセンサコイル１０２を複数設け（図６では１つのみ図示）、当該センサコイル１０２の周囲１０３に存在する異物を検出している。受信アンテナ（不図示）側についても同様に構成されている。
【先行技術文献】
【特許文献】
【０００３】
【特許文献１】特開２０１３−２１５０７３号公報
【発明の概要】
【発明が解決しようとする課題】
【０００４】
しかしながら、従来構成では、異物検出用のセンサコイル１０２を、送信アンテナ１０１、受信アンテナとは別に設ける構成であるため、以下のような課題がある。まず、装置全体がセンサコイル１０２分大型化してしまうという課題がある。すなわち、送信アンテナ１０１、受信アンテナ上にセンサコイル１０２を配置するため、特に高さ（厚み）が増加し、また、質量も増加してしまう。また、送信アンテナ１０１から発生される電磁界の範囲内であっても、送信アンテナ１０１、受信アンテナから離れた遠方に存在する異物、又は送信アンテナ１０１と受信アンテナとの間の中心付近に存在する異物を検出することが困難であるという課題がある。また、異物検出用のセンサコイル１０２を多数必要とするため、コスト増加の原因となるという課題がある。また、異物検出用のセンサコイル１０２を多数駆動する必要があるため、消費電力増加の原因となるという課題がある。【０００５】
この発明は、上記のような課題を解決するためになされたもので、送信アンテナから発生される電磁界における異物の有無を検出することができ、異物を検出した場合に電力伝送の低減又は停止を行うことができる共振型送信電源装置及び共振型送信電源システムを提供することを目的としている。
【課題を解決するための手段】
【０００６】
この発明に係る共振型送信電源装置は、送信アンテナの送信電力状態を検出する送信電力状態検出回路と、送信電力状態検出回路による検出結果に基づいて、送信アンテナから発生される電磁界における異物の有無を検出する異物検出回路と、異物検出回路により異物が検出された場合に、送信アンテナへの電力の供給を低減又は停止する電力制御回路とを備えたものである。
【発明の効果】
【０００７】
この発明によれば、上記のように構成したので、送信アンテナから発生される電磁界における異物の有無を検出することができ、異物を検出した場合に電力伝送の低減又は停止を行うことができる。
【図面の簡単な説明】
【０００８】
【図１】この発明の実施の形態１に係る共振型送信電源装置を備えた共振型電力伝送システムの構成を示す図である。
【図２】この発明の実施の形態１に係る共振型送信電源装置により検出される反射電力、電圧と電流との位相差、電圧及び電流の各振幅を示す図であり、（ａ）異物がない場合を示す図であり、（ｂ）誘電体系の異物がある場合を示す図である。
【図３】この発明の実施の形態１に係る共振型送信電源装置により検出される反射電力、電圧と電流との位相差、電圧及び電流の各振幅を示す図であり、（ａ）異物がない場合を示す図であり、（ｂ）磁性体系の異物がある場合の図である。
【図４】この発明の実施の形態２に係る共振型送信電源システムを備えた共振型電力伝送システムの構成を示す図である。
【図５】この発明の実施の形態３に係る共振型送信電源システムを備えた共振型電力伝送システムの構成を示す図である。
【図６】従来の電源装置の構成を示す図である。
【発明を実施するための形態】
【０００９】
以下、この発明の実施の形態について図面を参照しながら詳細に説明する。
実施の形態１．
図１はこの発明の実施の形態１に係る共振型送信電源装置１を備えた共振型電力伝送システムの構成を示す図である。
共振型電力伝送システムは、電気信号を含む電力を伝送するものである。この共振型電力伝送システムは、図１に示すように、共振型送信電源装置１、送信アンテナ２、受信アンテナ３及び受信電源装置４から構成されている。
【００１０】
共振型送信電源装置１は、送信アンテナ２の前段に配置され、送信アンテナ２への電力の供給を制御するものである。また、共振型送信電源装置１は、図１に破線で示す送信アンテナ２から発生される電磁界（送受信アンテナ２，３間の電力伝送空間及びその近傍を含む空間）における異物の有無を検出する機能と、異物を検出した場合に送信アンテナ２への電力の供給を低減又は停止する機能も有している。異物には、誘電体系の異物（人の手、動物等）と、磁性体系の異物（金属等）が含まれる。この共振型送信電源装置１の詳細については後述する。
送信アンテナ２は、共振型送信電源装置１からの電力を、受信アンテナ３に伝送するものである（非接触に限定されない）。
【００１１】
受信アンテナ３は、送信アンテナ２からの電力を受信するものである（非接触に限定されない）。この受信アンテナ３により受信された電力は受信電源装置４を介して負荷機器等（不図示）に供給される。
受信電源装置４は、受信アンテナ３と負荷機器等間に配置され、受信アンテナ３により受信された電力（交流出力）を整流するものである。この受信電源装置４は、ＡＣ入力−ＤＣ出力型又はＡＣ入力−ＡＣ出力型の電源回路である。
なお、無線電力伝送の場合における共振型電力伝送システムの伝送方式は特に限定されるものではなく、磁界共鳴による方式、電界共鳴による方式、電磁誘導による方式のいずれであってもよい。
【００１２】
次に、共振型送信電源装置１の構成について説明する。
共振型送信電源装置１は、送信電力状態検出回路１１及び電源制御回路１２から構成されている。
【００１３】
送信電力状態検出回路１１は、送信アンテナ２の送信電力状態を検出するものである。この送信電力状態検出回路１１は、反射電力検出回路１１１、電圧検出回路１１２、電流検出回路１１３及び位相／振幅検出回路１１４から構成されている。
【００１４】
反射電力検出回路１１１は、送信アンテナ２から電力伝送できずに戻ってくる電力（反射電力）を検出するものである。
電圧検出回路１１２は、送信アンテナ２に入力される電圧を検出するものである。
電流検出回路１１３は、送信アンテナ２に入力される電流を検出するものである。
位相／振幅検出回路１１４は、電圧検出回路１１２により検出された電圧と電流検出回路１１３により検出された電流との位相差、電圧及び電流の各振幅を検出するものである。
【００１５】
電源制御回路１２は、送信電力状態検出回路１１による検出結果に基づいて送信アンテナ２から発生される電磁界における異物の有無を検出し、異物を検出した場合に送信アンテナ２への電力の供給を低減又は停止するものである。この電源制御回路１２は、高周波の交流出力をするインバータ回路１２１と、その出力を制御する制御回路１２２とから構成されている。インバータ回路１２１は、ＡＣ入力−ＡＣ出力型又はＤＣ入力−ＡＣ出力型のインバータ電源回路である。制御回路１２２は、制御パターン記憶回路１２３、異物検出回路１２４及び電力制御回路１２５から構成されている。
【００１６】
制御パターン記憶回路１２３は、異物検出及び電力制御に関する情報を記憶するメモリである。この制御パターン記憶回路１２３に記憶される情報には、異物検出回路１２４で異物検出を行う際に用いる送信電力状態（反射電力、電圧と電流との位相差、電圧及び電流の各振幅）に対する閾値を示す情報、当該送信電力状態を用いて検出可能な異物の種別（誘電体系、磁性体系）を示す情報、異物の種別に応じた電力制御回路１２５での制御内容（誘電体系の異物の場合には電力供給停止、磁性体系の異物の場合には電力供給低減等）を示す情報が含まれる。
【００１７】
異物検出回路１２４は、制御パターン記憶回路１２３に記憶された情報に従い、送信電力状態検出回路１１による検出結果に基づいて、送信アンテナ２から発生される電磁界における異物の有無を検出するものである。
電力制御回路１２５は、異物検出回路１２４により異物が検出された場合に、制御パターン記憶回路１２３に記憶された情報に従い、送信アンテナ２への電力の供給を低減又は停止するものである。
【００１８】
次に、上記のように構成された共振型送信電源装置１の動作について、図２，３を参照しながら説明する。
共振型電力伝送システムでは、ＡＣ又はＤＣ電力が共振型送信電源装置１の電源制御回路１２に供給され、電源制御回路１２のインバータ回路１２１は高周波の交流出力を送信アンテナ２へ供給する。送信アンテナ２へ供給された電力は、その交流周波数に共振して、送信アンテナ２から受信アンテナ３へ伝送される。受信アンテナ３で受信された電力は、受信電源装置４へ交流出力される。そして、受信電源装置４は、その電力を整流して、ＤＣ又はＡＣ出力する。
一方、共振型送信電源装置１では、送信アンテナ２の送信電力状態を、送信電力状態検出回路１１により検出し、電源制御回路１２へその状態を示す信号を送っている。そして、電源制御回路１２の制御回路１２２では、その信号に基づいて、送信アンテナ２から発生される電磁界における異物の有無を検出することで、送信アンテナ２への交流出力を制御している。
【００１９】
ここで、送信アンテナ２から発生される電磁界に異物が存在しない場合には、送信アンテナ２からの反射電力、送信アンテナ２へ入力される電圧と電流との位相差、電圧及び電流の各振幅は、図２（ａ），図３（ａ）に示すようになる。
【００２０】
一方、送信アンテナ２から発生される電磁界に誘電体系の異物（人の手、動物等）が存在する場合には、図２（ｂ）に示すような波形となる。すなわち、図２の上段に示すように、異物により電力伝送が遮られるため、異物がない場合に対して反射電力が増加する。また、図２の下段に示すように、電圧と電流との位相差は大きくなり、電圧及び電流の各振幅は変化する。そして、電源制御回路１２は、誘電体系の異物を検出した場合には、例えば送信アンテナ２への電力の供給を停止する。
また、送信アンテナ２から発生される電磁界に磁性体系の異物（金属等）が存在する場合には、図３（ｂ）に示すような波形となる。すなわち、図３の上段に示すように、異物により電力伝送が遮られるため、異物がない場合に対して反射電力が増加する。また、図３の下段に示すように、電圧と電流との位相差が変化し、電圧の振幅が増加し、電流の振幅が減少する。そして、電源制御回路１２は、磁性体系の異物を検出した場合には、例えば送信アンテナ２への電力の供給を低減する。
【００２１】
以上のように、この実施の形態１によれば、送信アンテナ２の送信電力状態の変化を監視するように構成したので、送信アンテナ２から発生される電磁界における異物の有無を検出することができ、異物を検出した場合に送信アンテナ２への電力の供給を低減又は停止することができる。
また、異物検出において従来構成のような異物検出用のセンサコイル１０２等が不要なため、送受信アンテナ２，３を小型・軽量に構成することができる。また、送信アンテナ２から発生される電磁界における送信アンテナ２から離れた遠方、又は送受信アンテナ２，３の中心付近に存在する異物も検出することができる。また、センサコイル１０２等の追加装置が不要なため、低コスト化を図ることができる。また、センサコイル１０２等の追加装置を駆動する必要もないため、低消費電力化を図ることができる。
【００２２】
なお図１に示す送信電力状態検出回路１１では、送信電力状態として、反射電力、電圧と電流との位相差、電圧及び電流の各振幅を全て検出する場合について示したが、これに限るものではなく、異物の検出精度は低下するが検出項目を削除しても構わない。
【００２３】
また図１に示す送信電力状態検出回路１１は、受信アンテナ３の入力インピーダンスの変化に応じて送受信アンテナ２，３の共振結合インピーダンスを調整する際の検出回路として共通化が可能であり、低コスト化を図ることができる。この場合には、送信電力状態検出回路１１による検出結果に基づいて、送信アンテナ２の共振インピーダンスを調整する（送受信アンテナ２，３間の共振条件を合わせる）共振インピーダンス調整回路が別途設けられる。
【００２４】
実施の形態２．
実施の形態２では、送受信系（共振型送信電源装置１、送信アンテナ２及び受信アンテナ３）を複数系統設け、各々逆位相かつ同一の固定周波数で電力伝送を行う場合について示す。なおこの場合、複数系統の共振型送信電源装置１は本発明の共振型送信電源システムを構成する。図４はこの発明の実施の形態２に係る共振型送信電源システムを備えた共振型電力伝送システムの構成を示す図である。図４に示す実施の形態２に係る共振型電力伝送システムは、図１に示す実施の形態１に係る共振型電力伝送システムの送受信系を２系統設け、共振型送信電源装置１の電源制御回路１２に位置検出回路１２６を追加したものである。また、各系統の電源制御回路１２は接続線で接続されており、各送信電力状態検出回路１１による検出結果を共有することができる。その他の構成は同様であり、同一の符号を付して異なる部分についてのみ説明を行う。
【００２５】
位置検出回路１２６は、異物検出回路１２４により異物が検出された場合に、各系統の送信電力状態検出回路１１による検出結果（波形の違い）に基づいて、当該異物の位置を検出するものである。
また、電力制御回路１２５は、位置検出回路１２６により検出された異物の位置に基づいて、対応する送信アンテナ２への電力の供給を低減又は停止する。
【００２６】
これにより、異物がいずれの送受信系側に位置しているのかがわかる。また、異物が送受信アンテナ２，３の直近に位置するのか、送信アンテナ２と受信アンテナ３との間の中心付近に位置するのかがわかる。そして、異物が送受信アンテナ２，３の直近に存在する場合には、その異物はゴミであると判断でき、異物が中心付近に位置する場合には、その異物は人の手や動物等であると判断できる。また、異物が移動物体であるかも判断することができる。よって、異物の検出精度が向上する。
【００２７】
実施の形態３．
実施の形態３では、送受信系を複数系統設け、異なる固定周波数で電力伝送を行う場合について示す。図５はこの発明の実施の形態３に係る共振型送信電源システムを備えた共振型電力伝送システムの構成を示す図である。図５に示す実施の形態３に係る共振型電力伝送システムは、図４に示す実施の形態２に係る共振型電力伝送システムと基本構成は同様であり、同一の符号を付して異なる部分についてのみ説明を行う。
【００２８】
なお図５に示す例では、上段の共振型送信電源装置１は伝送周波数として６．７８ＭＨｚ帯を用いて電力伝送を行い、下段の共振型送信電源装置１は伝送周波数として１３．５６ＭＨｚ帯を用いて電力伝送を行う場合を示しているが、これに限るものではない。なお、上記各周波数帯は商用電源で用いられる周波数帯である。
【００２９】
また、電力制御回路１２５は、異物検出回路１２４により異物が検出された場合に、各系統の送信アンテナ２の固定周波数、及び各系統の送信電力状態検出回路１１による検出結果（波形の違い）に基づいて異物の種別を判別し、対応する送信アンテナ２への電力の供給を低減又は停止する。
ここで、特定の伝送周波数で伝送される電力に対する反射率は、異物の種別（誘電体系、磁性体系）により異なる。よって、この特性を利用することで、異物が誘電体系であるか磁性体系であるかをより正確に判別することができ、検出精度が向上する。
【００３０】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００３１】
この発明に係る共振型送信電源装置は、送信アンテナから発生される電磁界における異物の有無を検出することができ、異物を検出した場合に電力伝送の低減又は停止を行うことができ、送信アンテナへの電力の供給を制御する共振型送信電源装置等に用いるのに適している。
【符号の説明】
【００３２】
１  共振型送信電源装置、２  送信アンテナ、３  受信アンテナ、４  受信電源装置、１１  送信電力状態検出回路、１２  電源制御回路、１１１  反射電力検出回路、１１２  電圧検出回路、１１３  電流検出回路、１１４  位相／振幅検出回路、１２１  インバータ回路、１２２  制御回路、１２３  制御パターン記憶回路、１２４  異物検出回路、１２５  電力制御回路、１２６  位置検出回路。
【図１】
2015097807.tif 000003
【図２】
2015097807.tif 000004
【図３】
2015097807.tif 000005
【図４】
2015097807.tif 000006
【図５】
2015097807.tif 000007
【図６】
2015097807.tif 000008
【国際調査報告】
2015097807.tif 000009
2015097807.tif 000010